(57)【特許請求の範囲】
【請求項１】
火工技術用点火剤において、前記火工技術用点火剤が、Ｚｎ２＋２（Ｃ２Ｎ１０２−）（ＣＯ３２−）、Ｚｎ２＋３（Ｃ２Ｎ１０２−）２（ＣＯ３２−）、Ｚｎ２＋４（Ｃ２Ｎ１０２−）２（ＣＯ３２−）（ＯＨ−）２、Ｚｎ２＋２（Ｃ２Ｎ１０２−）（ＯＨ−）２またはＺｎ２＋３（Ｃ２Ｎ１０２−）２（ＯＨ−）２（上記式中、
（Ｃ２Ｎ１０２−）は以下の構造：
【化１】
0006559164.tif 000005
を有するアゾテトラゾレートジアニオンである）
を含有し、ここで塩基性アゾテトラゾレート成分の割合が３０〜１００質量％であり、かつ添加剤若しくは複数の添加剤の混合物が０〜７０質量％含有されていることを特徴とする前記火工技術用点火剤。
【請求項２】
請求項１に記載の火工技術用点火剤において、添加剤として、アルカリ金属及び／又はアルカリ土類金属及び／又はアンモニウムの硝酸塩、アルカリ金属及び／又はアルカリ土類金属及び／又はアンモニウムの過塩素酸塩、アルカリ金属及び／又はアルカリ土類金属及び／又は亜鉛の過酸化物のうち１つ若しくは複数から選択される酸化剤を１０〜６０質量％含有することを特徴とする前記火工技術用点火剤。
【請求項３】
請求項１に記載の火工技術用点火剤において、添加剤として、鋭感剤を０〜１０質量％含有することを特徴とする前記火工技術用点火剤。
【請求項４】
請求項１に記載の火工技術用点火剤において、添加剤として、アルミニウム、硫化アンチモン、ケイ化カルシウム、チタン、水素化チタン、ホウ素、水素化ホウ素、ジルコニウム、水素化ジルコニウム、ケイ素、グラファイト、活性炭、カーボンブラックのうち１つ若しくは複数から選択される還元剤、又は摩擦材を０〜２０質量％含有することを特徴とする前記火工技術用点火剤。
【請求項５】
請求項１に記載の火工技術用点火剤において、添加剤として、セルロース及びその誘導体、ポリビニルブチラール、ポリニトロポリフェニレン、ポリニトロフェニルエーテル、プレキシガム、ポリビニルアセテート、及びコポリマーのうち１つ若しくは複数から選択されるバインダーを０．１〜５質量％含有することを特徴とする前記火工技術用点火剤。
【請求項６】
請求項１から５までのいずれか１項に記載の火工技術用点火剤の使用であって、機械的、電気的、又は光電子的な点火システムにおける前記使用。
【発明の詳細な説明】
【技術分野】
【０００１】
本発明の対象は火工技術用点火剤である。
【０００２】
本発明の文脈における火工技術用点火剤とは、火工技術（点火もしくは着火）効果を発揮できる物質又は物質混合物である。
【０００３】
本発明の対象は殊に、機械式、電気式又は光電子式の点火システムにおいて使用可能な火工技術用点火剤である。
【０００４】
独国特許出願公開第１０２０１００２５１０４号明細書（ＤＥ１０２０１００２５１０４Ａ１）の明細書から、５，５’−アゾテトラゾールの鉄塩、コバルト塩、ニッケル塩、銅塩、カドミウム塩、若しくはグアニル尿素塩と、少なくとも１つの５，５’−アゾテトラゾレート及び少なくとも１つのビステトラゾールイルトリアセネート又は少なくとも１つの５，５’−アゾテトラゾールの別の金属塩若しくはグアニル尿素塩からの混合物とを含む５，５’−アゾテトラゾレート系爆薬が公知である。この明細書に記載されている塩は中性である（つまり、酸性でも塩基性でもない）。独国特許出願公開第１０２０１００２５１０４号明細書（ＤＥ１０２０１００２５１０４Ａ１）の明細書によれば、５，５’−アゾテトラゾールの亜鉛塩及びクロム塩は貯蔵性がない。さらに、テトラセン含有火工品混合物の熱安定性は十分でないという問題がある。というのもテトラセンは、既に１２０℃で分解するからである。
【０００５】
本発明の課題は、さらなる火工技術用点火剤を提供することであった。本発明のさらなる課題は、機械式、電気式、又は光電子式の点火システムにおいて使用することができる火工技術用点火剤を提供することであった。
【０００６】
前記課題は驚くべきことに、本発明により請求項１に記載されている特徴により解決される。
【０００７】
本発明のさらなる態様は、従属請求項に示されている。
【０００８】
驚くべきことに、以下の一般実験式：
Ｍｍ＋ｎ（Ｃ２Ｎ１０２−）ｐ（ＣＯ３２−）ｑ（ＯＨ−）ｒ
（上記式中、
Ｍは２１〜８０の範囲の原子番号を有する周期表第３〜１２族の元素であり、
（Ｃ２Ｎ１０２−）は以下の構造：
【化１】
0006559164.tif 000002
を有するアゾテトラゾレートジアニオンであり、
ｍはカチオンの価数であり、
ｎは１〜６の整数であり、
ｐは１〜４の整数であり、
ｑは０〜８の整数であり、
ｒは０〜４の整数であり、かつｑ＋ｒ≠０である）
を有する５，５’−アゾテトラゾールの塩基性塩を含有する火工技術用点火剤が発見されたのであり、
ここで塩基性アゾテトラゾレート成分の割合は３０〜１００質量％であり、かつ添加剤若しくは複数の添加剤の混合物が０〜７０質量％含有されている。本発明による新規の塩基性アゾテトラゾレート化合物は、１８０℃〜２４０℃の範囲にある爆発温度、０．１Ｎ〜１．０Ｎの摩擦感度、及び０．１Ｊ〜０．５Ｊの衝撃感度を有する。本発明による塩基性アゾテトラゾレート化合物は熱安定性である。７１℃で貯蔵しても、２８日後に、本発明による塩基性アゾテトラゾレート化合物、ここでは殊に亜鉛化合物の分解は示されない。
【０００９】
好適には、火工技術用点火剤は、添加剤として、アルカリ金属及び／又はアルカリ土類金属及び／又はアンモニウムの硝酸塩、アルカリ金属及び／又はアルカリ土類金属及び／又はアンモニウムの過塩素酸塩、アルカリ金属及び／又はアルカリ土類金属及び／又は亜鉛の過酸化物のうち１つ若しくは複数から選択される酸化剤を１０〜６０質量％含有する。
【００１０】
特に好ましくは、火工技術用点火剤は、添加剤として、鋭感剤、好適にはテトラセンを０〜１０質量％含有する。
【００１１】
好適には、本発明による火工技術用点火剤は、添加剤として、アルミニウム、硫化アンチモン、ケイ化カルシウム、チタン、水素化チタン、ホウ素、水素化ホウ素、ジルコニウム、水素化ジルコニウム、ケイ素、グラファイト、活性炭、カーボンブラックのうち１つ若しくは複数から選択される還元剤、又は摩擦材、好適にはガラス破砕物を０〜２０質量％含有する。
【００１２】
特に好ましくは、火工技術用点火剤は、添加剤として、セルロース及びその誘導体、ポリビニルブチラール、ポリニトロポリフェニレン、ポリニトロフェニルエーテル、プレキシガム、ポリビニルアセテート、及びコポリマーのうち１つ若しくは複数から選択されるバインダーを０．１〜５質量％含有する。
【００１３】
極めて特に好ましくは、火工技術用点火剤は、以下のもの：
Ｚｎ２＋２（Ｃ２Ｎ１０２−）（ＣＯ３２−）、
Ｚｎ２＋３（Ｃ２Ｎ１０２−）２（ＣＯ３２−）、
Ｚｎ２＋４（Ｃ２Ｎ１０２−）２（ＣＯ３２−）（ＯＨ−）２、
Ｚｎ２＋２（Ｃ２Ｎ１０２−）（ＯＨ−）２、及び／又は
Ｚｎ２＋３（Ｃ２Ｎ１０２−）２（ＯＨ−）２
を含有する。
【００１４】
本発明による火工技術用点火剤は、機械式、電気式、又は光電子式の点火システムにおいて使用される。
【００１５】
添加剤として、以下の１〜５を使用することができる：
１．アルカリ金属又はアルカリ土類金属又はアンモニウムの硝酸塩（例えば、硝酸ナトリウム、硝酸カリウム、又は硝酸アンモニウム）、アルカリ金属又はアルカリ土類金属又はアンモニウムの過塩素酸塩、アルカリ金属又はアルカリ土類金属又は亜鉛の過酸化物から成る群より選択された酸化剤（単独又は混合物で）、
２．ヘキソーゲン、オクトーゲン、ニトロセルロースという高エネルギーの添加物質（単独又は混合物で）
３．アルミニウム、チタン、水素化チタン、ホウ素、水素化ホウ素、ジルコニウム、水素化ジルコニウム、ケイ素、グラファイト、活性炭、カーボンブラックから成る群より選択される還元剤（単独又は混合物で）
４．セルロース、並びにその誘導体、ポリビニルブチラール、ポリニトロポリフェニレン、ポリニトロフェニルエーテル、プレキシガム、ポリビニルアセテート、コポリマーからなる群より選択されるバインダー（単独又は混合物で）
５．酸化亜鉛、炭酸亜鉛、ケイ酸塩、シリカゲル、ケイ酸（例えば、Ａｅｒｏｓｉｌ（Ｄｅｇｕｓｓａ社））、窒化ホウ素から成る群より選択される燃焼調整剤、安定化剤、及び加工助剤（単独又は混合物で）。
【００１６】
これらの物質は、鉛及びバリウム不含であること、高い着火力、短い反応時間、及び相応する感度において優れている。これらの特性によって、安全な点火に必要とされる爆発物の量を削減することができる。
【００１７】
表１では、選択した実施例の分解温度、摩擦感度、及び衝撃感度が示されている。摩擦感度及び衝撃感度の測定は、ＢＡＭ−Ｂｅｒｉｃｈｔ１４２（１９８７）に記載されている連邦材料試験研究所（ＢＡＭ）の手法に従って行い、分解温度の測定は、示差走査熱量計（ＤＳＣ）（Ｍｅｔｔｌｅｒ社）を用いて、毎分１０Ｋの加熱速度で行った。
【００１８】
本発明の対象は、詳細には以下のものである：
・以下の一般実験式：
Ｍｍ＋ｎ（Ｃ２Ｎ１０２−）ｐ（ＣＯ３２−）ｑ（ＯＨ−）ｒ
（上記式中、
Ｍは２１〜８０の範囲の原子番号を有する周期表第３〜１２族の元素であり、
（Ｃ２Ｎ１０２−）は以下の構造：
【化２】
0006559164.tif 000003
を有するアゾテトラゾレートジアニオンであり、
ｍはカチオンの価数であり、
ｎは１〜６の整数であり、
ｐは１〜４の整数であり、
ｑは０〜８の整数であり、
ｒは０〜４の整数であり、かつｑ＋ｒ≠０である）
を有する５，５’−アゾテトラゾールの塩基性塩を含有する火工技術用点火剤であり、ここで塩基性アゾテトラゾレート成分の割合は３０〜１００質量％であり、かつ添加剤若しくは複数の添加剤の混合物が０〜７０質量％含有されている；
・添加剤として、アルカリ金属及び／又はアルカリ土類金属及び／又はアンモニウムの硝酸塩、アルカリ金属及び／又はアルカリ土類金属及び／又はアンモニウムの過塩素酸塩、アルカリ金属及び／又はアルカリ土類金属及び／又は亜鉛の過酸化物のうち１つ若しくは複数から選択される酸化剤を１０〜６０質量％含有する火工技術用点火剤；
・添加剤として、鋭感剤、好適にはテトラセンを０〜１０質量％含有する火工技術用点火剤；
・添加剤として、アルミニウム、硫化アンチモン、ケイ化カルシウム、チタン、水素化チタン、ホウ素、水素化ホウ素、ジルコニウム、水素化ジルコニウム、ケイ素、グラファイト、活性炭、カーボンブラックのうち１つ若しくは複数から選択される還元剤、又は摩擦材、好適にはガラス破砕物を０〜２０質量％含有する火工技術用点火剤；
・添加剤として、セルロース及びその誘導体、ポリビニルブチラール、ポリニトロポリフェニレン、ポリニトロフェニルエーテル、プレキシガム、ポリビニルアセテート、及びコポリマーのうち１つ若しくは複数から選択されるバインダーを０．１〜５質量％含有する火工技術用点火剤；
・Ｚｎ２＋２（Ｃ２Ｎ１０２−）（ＣＯ３２−）を含有する火工技術用点火剤；
・Ｚｎ２＋３（Ｃ２Ｎ１０２−）２（ＣＯ３２−）を含有する火工技術用点火剤；
・Ｚｎ２＋４（Ｃ２Ｎ１０２−）２（ＣＯ３２−）（ＯＨ−）２を含有する火工技術用点火剤；
・Ｚｎ２＋２（Ｃ２Ｎ１０２−）（ＯＨ−）２を含有する火工技術用点火剤；
・Ｚｎ２＋３（Ｃ２Ｎ１０２−）２（ＯＨ−）２を含有する火工技術用点火剤；
・機械式、電気式、又は光電子式の点火システムにおける火工技術用点火剤の使用。
【００１９】
本発明を、以下の実施例によってより詳細に説明するが、本発明がこれらに制限されることはない：
表１には、５種類の異なった５，５’−アゾテトラゾールの塩基性塩の組成が挙げられている。
【表１】
0006559164.tif 000004